(57)【特許請求の範囲】
【請求項１】
外箱の内壁面に合成樹脂断熱材が貼り付けられ、この合成樹脂断熱材に空気誘導用のダクトを取り付ける自動販売機であって、前記ダクトに板状突片を設け、この板状突片を前記合成樹脂断熱材に突き刺すことにより前記合成樹脂断熱材に前記ダクトを取り付けるようにした自動販売機において、
前記ダクトは、前面部と両側面部を有する断面略コ字形に形成され、両側面部の上部の後端縁に前記板状突片を一体に対設し、当該板状突片により内部に露出してある前記合成樹脂断熱材に直接突き刺して固定されていることを特徴とする自動販売機。
【請求項２】
前記板状突片は尖端部を有し、この尖端部を挟む辺のうち一辺は基部から前記尖端部に向かって下方に傾斜する斜辺であることを特徴とする請求項１記載の自動販売機。
【請求項３】
前記板状突片は尖端部を有し、その尖端部を挟む辺のうち少なくとも一辺の基部に溝部が形成されていることを特徴とする請求項１又は請求項２記載の自動販売機。
【発明の詳細な説明】
【０００１】
【発明の属する技術分野】
本発明は、缶入り又はボトル入りジュース、コーヒー、ウーロン茶等の飲料用自動販売機において、特に外箱の内壁面に貼られる合成樹脂断熱材が内部に露出する内箱レスタイプの場合に、空気誘導用のダクトを取り付けるのに好適な自動販売機に関する。
【０００２】
【従来の技術】
従来の飲料用自動販売機は、図４にその概略を示すように金属で形成された外箱１と内箱２との間に合成樹脂断熱材３が介在され、内箱２の上部に缶入り又はボトル入り商品を収納したラック４が配設される。又、内箱２とラック４との間にはダクト５が取り付けられ、このダクト５の下部の近傍にファン６が配置され、冷気又は暖気をラック４に送風して商品を冷却し又は加熱するようにしてある。冷却又は加熱の熱源となる熱交換器（図略）はダクト５内の要所に設置される。７はラック４の下方に設けられたシュートであり、ラック４から排出される商品を顧客が商品を取り出す取出口（図略）に導く。
【０００３】
上記ダクト５は、ファン６により吸引される空気を誘導するためのものであって、その上下部が内箱２にビス８により取り付けられている。
【０００４】
【発明が解決しようとする課題】
ところで、自動販売機の製造コストを下げるために、内箱２を省略した内箱レスタイプ゛が近年開発されたが、この場合は外箱１の内壁面に貼った合成樹脂断熱材３が内部に露出することからダクト５をビス８止めできない事態が発生した。
【０００５】
このような事態に対処するために、本発明は、内箱レスタイプの自動販売機において、外箱１の内壁面に貼られた合成樹脂断熱材３にダクト５を容易且つ確実に取り付けられるようにすることを目的とする。
【０００６】
【課題を解決するための手段】
上記の目的を達成するための手段として、本発明は、請求項１に記載したように外箱の内壁面に合成樹脂断熱材が貼り付けられ、この合成樹脂断熱材に空気誘導用のダクトを取り付ける自動販売機であって、前記ダクトに板状突片を設け、この板状突片を前記合成樹脂断熱材に突き刺すことにより前記合成樹脂断熱材に前記ダクトを取り付けるようにした自動販売機において、前記ダクトは、前面部と両側面部を有する断面略コ字形に形成され、両側面部の上部の後端縁に前記板状突片を一体に対設し、当該板状突片により内部に露出してある前記合成樹脂断熱材に直接突き刺して固定されていることを特徴とすることを特徴とする。又、請求項２のように前記板状突片は尖端部を有し、この尖端部を挟む辺のうち一辺は基部から前記尖端部に向かって下方に傾斜する斜辺であること、請求項３のように前記板状突片は尖端部を有し、その尖端部を挟む辺のうち少なくとも一辺の基部に溝部が形成されていること、をそれぞれ特徴とするものである。
【０００７】
本発明では、ダクトに設けた板状突片を合成樹脂断熱材に突き刺すことで、外箱の内壁面に貼られた合成樹脂断熱材に対してダクトを容易に取り付けることができる。このダクトは、前面部と両側面部を有する断面略コ字形であるから容易に製造することができ、両側面部の後端縁に設ける板状突片をダクトと一体に形成することができる。
又、ダクトの板状突片は尖端部を備えることで突き刺し易く、その尖端部を挟む辺のうち一辺は基部から尖端部に向かって下方に傾斜する斜辺を有することで、合成樹脂断熱材に板状突片を突き刺す際に下向きの反力を受け、これによりダクトの下部を合成樹脂断熱材に密着させることができる。更に、板状突片の尖端部を挟む辺のうち少なくとも一辺は基部に溝部を備えることで、合成樹脂断熱材に突き刺した際に部材の一部が溝部に食い込んで引っ掛かることにより抜け難くすることができる。
【０００８】
【発明の実施の形態】
次に、本発明に係る自動販売機の実施形態について添付図面を参照しながら説明する。上記従来例と同じ部材は前記と同じ符号を付けて記載する。
図１において、１は自動販売機の外箱であり、内壁面に合成樹脂断熱材３を貼って庫内Ａを形成してある。合成樹脂断熱材３の厚みは１０〜１５ｍｍであり、上面及び側面はウレタン、下面はスチロールが用いられ、下面のスチロールは金属カバー１８で覆われている。この場合、内箱は存在しておらず、合成樹脂断熱材３が内部に露出している。
【０００９】
１５はダクトであり、図２に示すように鋼板で前面部１５ａと両側面部１５ｂを有する断面略コ字形に形成され、両側面部１５ｂの上部の後端縁に板状突片１６が対設されている。このダクト１５はプレス加工により容易に形成することができ、板状突片１６をダクト１５と一体に設けることができる。又、ダクト１５の前面部１５ａの下部には開口部１５ｃが設けられ、その開口部１５ｃの下縁から後方に延びる略Ｌ形の取付片１７が設けられ、且つ取付片１７の後縁立ち上げ部に取付孔１７ａが形成されている。
【００１０】
板状突片１６は、図３（ａ）のように尖端部を挟む二辺を有し、そのうちの一辺は基部から尖端部に向かって下方に傾斜する斜辺１６ａであり、他の一辺はダクトの後端縁に対して垂直に延びる水平辺１６ｂとなっている。板状突片の形状はこれに限定されず、例えば図３（ｂ）の板状突片２６のように尖端部を挟む二辺が共に斜辺であるもの、図３（ｃ）の板状突片３６のように尖端部が複数個あるもの等であっても良い。板状突片２６，３６の場合には、尖端部を挟む辺のうち少なくとも一辺の基部に溝部２６ｃ、３６ｃを形成することが好ましい。
【００１１】
ダクト１５を取り付けるには、図１のように板状突片１６を庫内Ａの後面側に露出している合成樹脂断熱材３に突き刺し、取付片１７を庫内Ａの底面に設けられた金属カバー板１８に当接させ、取付孔１７ａにビス８を差し込んで金属カバー板１８の立ち上げ部に止着することで行う。
【００１２】
この取り付けの際に、板状突片１６を合成樹脂断熱材３に突き刺すと、尖端部の斜辺１６ａが下向きの反力を受ける。これにより、ダクト１５が押し下げられてダクト１５の下部が金属カバー板１８に密着する。金属カバー板１８の立ち上げ部には、取付片１７の取付孔１７ａに対応するねじ孔１８ａを設けておけば、位置合わせが簡単であると共に開口部１５ｃからビス８の止着が容易にできる。
【００１３】
又、板状突片の形状が図３（ｂ）の板状突片２６のような場合、又は図３（ｃ）の板状突片３６のような場合には、合成樹脂断熱材３への突き刺し作業がし易くなり、突き刺した際に合成樹脂断熱材３の一部が溝部２６ｃ又は溝部３６ｃに食い込んで引っ掛かり、合成樹脂断熱材３との係合が強くなって抜け難くなる。
【００１４】
いずれにしても、内箱レスタイプであっても、庫内Ａの壁面に板状突片を突き刺す合成樹脂断熱材３が露出しているものにおいては、ダクト１５を容易に且つ確実に取り付けることができる。しかも、ビス８止めはダクト１５の下部のみでよいからダクト１５の取付作業は簡略化する。
【００１５】
又、ダクト１５の取付後にはラック４が配設され、このラック４の背面がダクト１５の前面部１５ａの上部を押さえる状態となるため、板状突片１６の抜け出しは完全に防止される。
【００１６】
そして、ダクト１５の開口部１５ｃの少し前方にはファン６が配置され、ダクト１５内の下部には熱交換器（図略）が設置される。更に、図示は省略したが庫内Ａの下部機械室にはコンプレッサや凝縮器等の機器が設置され、熱交換器と接続して冷凍サイクルが構成される。
【００１７】
この場合、ダクト１５の上端から流入した空気は、熱交換器により冷やされてファン６によりラック４に送風され、ラック４内に収納されている缶入り又はボトル入りの商品を冷却する。商品を加熱する場合は、ダクト１５内に流入した空気をヒータにより温め、ファン６によりラック４に送風して商品を加熱する。庫内Ａの空気は、ダクト１５とラック４を回るようにして循環させられる。
【００１８】
販売時において、ラック４から排出される商品はシュート７を介して取出口（図略）に落下させられる。
【００１９】
【発明の効果】
以上説明したように、本発明によれば、外箱の内壁面に貼られた合成樹脂断熱材に対して、ダクトに形成した板状突片を突き刺して取り付けるようにした内箱レスタイプの自動販売機において、前記ダクトは、前面部と両側面部を有する断面略コ字形に形成され、両側面部の上部の後端縁に前記板状突片を一体に対設し、当該板状突片により内部に露出してある前記合成樹脂断熱材に直接突き刺して固定されている構成であるため容易に製造することができ、両側面部の後端縁に設ける板状突片をダクトと一体に形成することができる。又、板状突片の尖端部を挟む辺のうち一辺は、基部から尖端部に向かって下方に傾斜する斜辺にすることにより、合成樹脂断熱材に突き刺した際に下向きの反力を受けるためダクト下部の密着性を向上させる。更に、板状突片に尖端部を挟む辺のうち少なくとも一辺は、その基部に溝部を形成することにより、合成樹脂断熱材に突き刺した際に部材の一部が溝部に食い込んで引っ掛かり、抜け難くなるといった優れた効果を奏する。
【図面の簡単な説明】
【図１】本発明の実施形態に係る自動販売機を示す側断面図である。
【図２】本発明の実施形態に係る自動販売機のダクトを示す斜視図である。
【図３】本発明の実施形態に係る自動販売機の尖端部を挟む二辺を有する板状突片を示し、（ａ）はその一辺が基部から尖端部に向かって下方に傾斜する斜辺である板状突片、（ｂ）は尖端部を挟む二辺が共に斜辺である板状突片、（ｃ）は尖端部が複数個ある板状突片のそれぞれ側面図である。
【図４】従来の実施形態に係わる自動販売機を示す側断面図である。
【符号の説明】
１…外箱
３…合成樹脂断熱材
１５…ダクト
１６…板状突片
１６ａ…斜辺
２６、３６…板状突片
２６ｃ、３６ｃ…溝部
【図１】
0004475858.tif 000002
【図２】
0004475858.tif 000003
【図３】
0004475858.tif 000004
【図４】
0004475858.tif 000005